(57)【要約】【課題】装置の薄型化および軽量化が可能なメータ装置を提供すること。【解決手段】文字板３０の目盛表示部１ａ，文字表示部１ｂを囲むリング部材４０に、リング部材用透光部３５に対面し、文字板表面から離れるに連れて両表示部１ａ，１ｂの外側へ離れるよう傾斜され、リング部材用透光部３５を通過した発光ダイオード１１の光を、両表示部１ａ，１ｂの外側方向へ反射させてリング部材４０の外周を照明するリング部材反射面４２を形成した。【選択図】図１
2008261664.tif 000002
【特許請求の範囲】
【請求項１】
板状に形成され、指針の指標となる表示部が設けられた文字板と、
前記文字板の表面側に設けられ、前記表示部を囲む環状部材と、
前記文字板に設けられ、文字板裏面側に設置された光源の光を前記環状部材に向けて通過させる環状部材用透光部と、
この環状部材用透光部に対面して前記環状部材に設けられ、前記文字板表面から離れるに連れて前記表示部の外側へ離れるよう傾斜された環状部材反射面と、
を備え、
前記環状部材用透光部を通過した光源の光を、前記環状部材反射面で前記環状部材の外周方向へ反射させて環状部材外周を照明するようにしたことを特徴とするメータ装置。
【請求項２】
前記表示部が、文字板の裏面側から表面側へ透光可能に形成され、
前記光源が、前記表示部の照明用の光源であることを特徴とする請求項１に記載のメータ装置。
【請求項３】
前記環状部材のメータ正面方向を向いた面に装飾用のメッキ層が設けられ、
このメッキ層が、前記環状部材において前記環状部材用透光部に対面する部分にも設けられて前記環状部材反射面が形成されていることを特徴とする請求項１または請求項２に記載のメータ装置。
【請求項４】
前記環状部材の外周方向にフィニッシャが設けられ、
このフィニッシャの前記環状部材に対向する端面に、前記環状部材反射面で反射された光をメータ正面方向に反射させるフィニッシャ反射面が形成されていることを特徴とする請求項１〜請求項３のいずれか１項に記載のメータ装置。
【請求項５】
前記基板と文字板との間に介在されたハウジング部材に、前記光源の光を前記表示部に向けて反射させるハウジング反射面が設けられていることを特徴とする請求項１〜請求項４のいずれか１項に記載のメータ装置。
【発明の詳細な説明】
【技術分野】
【０００１】
本発明は、自動車などに用いられるメータ装置に関し、特に、表示部の外側を環状に照明する技術に関する。
【背景技術】
【０００２】
近年、車両用などのメータ装置において、指針および文字板に設けられた文字や目盛などを文字板の背面側から照明するのに加え、文字板の外周を環状に照明して、高級感、高品質感を演出することが行われている。
【０００３】
このような環状の照明が可能なメータ装置として、文字板と、文字板の背面に重ねられた導光板と、文字板の表示部を周回するように設置された環状部材と、を備え、導光板の周縁端面から外側に向かう光を環状部材の内壁で反射させて環状に照明し、環状部材の照明専用の光源を削減できるようにしたものが知られている（例えば、特許文献１参照）。
【特許文献１】特開２００３−３１５１１１号公報
【発明の開示】
【発明が解決しようとする課題】
【０００４】
しかしながら、上述の従来技術では、文字板の裏面を覆って導光板を設ける必要があったため、その分、装置の厚みが増すとともに、重量増を招くという問題があった。
【０００５】
本発明は、上述のような従来の問題に着目して成されたもので、装置の薄型化および軽量化が可能なメータ装置を提供することを目的とする。
【課題を解決するための手段】
【０００６】
上述の目的を達成するために本発明は、板状に形成され、指針の指標となる表示部が設けられた文字板と、前記文字板の表面側に設けられ、前記表示部を囲む環状部材と、前記文字板に設けられ、文字板裏面側に設置された光源の光を前記環状部材に向けて通過させる環状部材用透光部と、この環状部材用透光部に対面して前記環状部材に設けられ、前記文字板表面から離れるに連れて前記表示部の外側へ離れるよう傾斜された環状部材反射面と、を備え、前記環状部材用透光部を通過した光源の光を、前記環状部材反射面で前記環状部材の外周方向へ反射させて環状部材外周を照明するようにしたことを特徴とするメータ装置とした。
また、請求項２に記載の発明は、請求項１に記載のメータ装置において、前記表示部が、文字板の裏面側から表面側へ透光可能に形成され、前記光源が、前記表示部の照明用の光源であることを特徴とするメータ装置とした。
請求項３に記載の発明は、請求項１または請求項２に記載のメータ装置において、前記環状部材のメータ正面方向を向いた面に装飾用のメッキ層が設けられ、このメッキ層が、前記環状部材において前記環状部材用透光部に対面する部分にも設けられて前記環状部材反射面が形成されていることを特徴とするメータ装置とした。
請求項４に記載の発明は、請求項１〜請求項３のいずれか１項に記載のメータ装置において、前記環状部材の外周方向にフィニッシャが設けられ、このフィニッシャの前記環状部材に対向する端面に、前記環状部材反射面で反射された光をメータ正面方向に反射させるフィニッシャ反射面が形成されていることを特徴とするメータ装置とした。
請求項５に記載の発明は、請求項１〜請求項４のいずれか１項に記載のメータ装置において、前記基板と文字板との間に介在されたハウジング部材に、前記光源の光を前記表示部に向けて反射させるハウジング反射面が設けられていることを特徴とするメータ装置とした。
【発明の効果】
【０００７】
本発明のメータ装置では、目盛などの表示部を照明する光源の光が、文字板の環状部材用透光部を通して、環状部材の環状部材反射面で環状部材の外周方向に反射され、表示部を囲む環状部材外周が照明される。
このように、本発明では、環状部材の環状部材反射面で光源の光を直接反射させて環状に照明し、導光板を不要としたため、導光板が不要となった分だけ、装置の薄型化が可能となるとともに、軽量化を図ることが可能となる。
さらに、請求項２に記載の発明では、表示部照明用の光源の光を用いて環状照明を行うようにしているため、各照明を別個の光源で行うものに比べて、光源の使用量を抑えて安価に製造することが可能である。
また、請求項３に記載の発明では、環状部材反射面を、環状部材の装飾用のメッキ層と同様のメッキ層により形成するようにしたため、装飾用のメッキ層を設ける加工時に、同時に環状部材反射面を形成することが可能であり、環状部材反射面を形成する独立した加工を不要として、安価に製造することができる。
また、請求項４に記載の発明では、フィニッシャに環状部材反射面で反射された光を、メータ正面方向に反射させるフィニッシャ反射面を形成したため、表示部の外周の照明光をメータ正面に向けてより効果的な照明を行うことができる。
また、請求項５に記載の発明では、光源の光がハウジング反射面で反射されて表示部が照明されるため、光源の光が表示部に向けて広く分散され、既存のハウジング部材を利用して安価に照明品質を向上させることができる。
【発明を実施するための最良の形態】
【０００８】
以下、本発明の実施の形態を図面に基づいて説明する。
この実施の形態のメータ装置は、板状に形成され、指針の指標となる表示部（１ａ，１ｂ）が設けられた文字板（３０）と、前記文字板（３０）の表面側に設けられ、前記表示部（１ａ，１ｂ）を囲む環状部材（４０）と、前記文字板（３０）に設けられ、文字板裏面側に設置された光源（１１）の光を前記環状部材（４０）に向けて通過させる環状部材用透光部（３５）と、この環状部材用透光部（３５）に対面して前記環状部材（４０）に設けられ、前記文字板表面（３２）から離れるに連れて前記表示部（１ａ，１ｂ）の外側へ離れるよう傾斜された環状部材反射面（４２）と、を備え、前記環状部材用透光部（３５）を通過した光源（１１）の光（ＬＴ）を、前記環状部材反射面（４２）で前記環状部材（４０）の外周方向へ反射させて環状部材外周を照明するようにしたことを特徴とするメータ装置である。
【実施例１】
【０００９】
以下に、図１〜図２に基づいて、この発明の最良の実施の形態の実施例１のメータ装置について説明する。
【００１０】
この実施例１のメータ装置Ａは、図外の自動車のインストルメントパネルに設けられたメータクラスタ内に取り付けられており、図２に示すように、スピードメータ１、エンジン回転数メータ２、燃料メータ３、水温メータ４などを備えている。
【００１１】
これら各メータ１，２，３，４の構造は同様であるので、実施例１のメータ装置Ａの構造を説明するのにあたり、以下に、スピードメータ１の部分を例に挙げて説明する。
スピードメータ１は、図示を省略した指針の先端の回動軌跡に沿って一定間隔で指針の指標となる目盛が設けられた目盛表示部１ａと、この目盛表示部１ａの内径側で２０ｋｍ／ｈ刻みの速度が表示された文字表示部１ｂとを備えている。なお、表示部としては、絵文字などの表示部も設けられているが、ここでは図示を省略している。
【００１２】
スピードメータ１は、図２のＳ１−Ｓ１線による断面である図１に示すように、メータ装置Ａは、基板１０、ハウジング２０、文字板３０、リング部材４０、フィニッシャ５０を備えている。
【００１３】
基板１０は、エポキシ樹脂などの硬質樹脂により板状に形成され、図示を省略した指針を駆動するムーブメントや、照明用の光源としての発光ダイオード１１や、これらを駆動させる回路などを備えている。なお、発光ダイオード１１は、リング部材４０とメータ正面方向（メータを視る利用者の方向であって、矢印Ｆ方向）に重なって配置されている。また、発光ダイオード１１は、図２に示すように、円周状のリング部材４０に沿って複数設定されている。
【００１４】
ハウジング２０は、文字板３０を、図１に示すように、基板１０から設定距離だけ離れた位置に保持するもので、樹脂により形成されており、このハウジング２０には、発光ダイオード１１の光を文字板３０の方向へ反射させるハウジング反射面２１が形成されている。
【００１５】
文字板３０は、ポリカーボネート樹脂などの透明樹脂材料で形成され、その表面３１に黒色などの遮光性の塗料を印刷した遮光部３２と、白色あるいはオレンジなどの透光性を有した塗料が印刷されて発光ダイオード１１の光を文字板３０の裏面３３から表面３１へ通過させる表示部用透光部３４およびリング部材用透光部３５を備えている。
【００１６】
表示部用透光部３４は、スピードメータ１において、前述した目盛表示部１ａならびに文字表示部１ｂを形成する部分であって、各目盛および数字の意匠部分に相当する。
【００１７】
リング部材用透光部３５は、リング部材４０とメータ正面方向に重なる位置でリング部材４０に沿って設けられている。
なお、文字板３０の裏面３３において、両透光部３４，３５を除く部位には、文字板３０の内部の光を拡散させる処理（例えば、光拡散用の塗料混入処理や印刷処理やあるいはギザギザ状などの拡散用の形状に形成する処理）が成されている。
【００１８】
リング部材４０は、スピードメータ１の外周縁を装飾するもので、硬質樹脂によりスピードメータ１の外周を囲う円環状に形成されており、文字板３０からメータ正面方向（矢印Ｆ方向）へ離れるに連れて、外径方向（矢印ＯＴ方向）に離れるように湾曲傾斜された円弧断面形状に形成されている。
また、リング部材４０は、スピードメータ１の外周縁を飾るために、外表面には、銀色のメッキ層４１が設けられている。このメッキ層４１は、リング部材４０においてリング部材用透光部３５に対面する裏面にも設けられており、この裏面にリング部材反射面（環状部材反射面）４２が形成されている。
【００１９】
フィニッシャ５０は、文字板３０の表面３１において各メータ１，２，３，４の外径方向部分を覆って設けられた硬質の樹脂製の部材で、フィニッシャ５０の端面において、リング部材４０に対向する位置には、リング部材反射面４２で反射した光をメータ正面方向（矢印Ｆ方向）に反射させるべく文字板３０からメータ正面方向に離れるに連れ、リング部材４０から離れるように傾斜されたフィニッシャ反射面５１が形成されている。
なお、本実施例１では、フィニッシャ反射面５１において最もリング部材４０に近い側の先端５２は、リング部材４０とメータ正面方向に重なる位置に配置されている。
【００２０】
次に、実施例１の作用について説明する。
発光ダイオード１１を点灯させたときには、その光が矢印ＬＴで示すように文字板３０の表示部用透光部３４およびリング部材用透光部３５を通過して照明する。
すなわち、表示部用透光部３４では、目盛表示部１ａおよび文字表示部１ｂが点灯表示される。この場合、光の一部は、ハウジング２０のハウジング反射面２１により反射されて拡散され、また、文字板３０の裏面３３に設けられた拡散処理においても拡散され、目盛表示部１ａおよび文字表示部１ｂが全体に均一な光量で点灯表示される。
また、リング部材用透光部３５を通過した光は、リング部材４０のリング部材反射面４２により、リング部材４０の外周方向に反射され、さらに、フィニッシャ反射面５１でメータ正面方向に反射され、リング部材４０の外周を照明する。
これにより、スピードメータ１の外周が環状に照明されて高級感、高品質感が演出される。
【００２１】
以上説明したように、実施例１のメータ装置Ａでは、リング部材４０の照明用の導光板が不要となったため、その分、装置の薄型化が可能となるとともに、軽量化を図ることが可能となる。
また、発光ダイオード１１は、各表示部１ａ，１ｂの照明とリング部材４０の外周の照明とを兼ねているため、それぞれの照明用の発光ダイオードを設けるのに比べて、使用する発光ダイオード１１の数を抑えて、コストダウンおよび消費電力の抑制を図ることができる。
さらに、リング部材４０において、リング部材用透光部３５を通過した光をリング部材４０の外周方向に反射させるリング部材反射面４２を形成するのにあたり、リング部材４０の装飾用に設けるメッキ層４１をリング部材４０の裏面側にも設けることでリング部材反射面４２を形成するようにしたため、裏面のリング部材反射面４２を形成する独立した加工が不要であり、安価に製造することができる。
【００２２】
加えて、フィニッシャ５０にリング部材反射面４２で反射された光を、メータ正面方向に反射させるフィニッシャ反射面５１を形成したため、リング部材４０の外周の照明光をメータ正面方向に向けてより効果的な照明を行うことができる。
また、フィニッシャ５０の先端５２をリング部材４０とメータ正面方向で重ねて配置したため、リング部材用透光部３５を通過した光が直接メータ正面方向へ向かわないようにでき、リング部材４０の外周を照明する光を和らげて、より高級感、高品質感を演出可能となる。
【実施例２】
【００２３】
次に、図３に基づいてこの発明の実施の形態の実施例２の操作スイッチについて説明する。なお、この実施例２は、実施例１の変形例であるため、その相違点についてのみ説明し、実施例１と同様の構成および作用効果については説明を省略する。
【００２４】
実施例２では、リング部材２４０のリング部材反射面２４２の構成およびフィニッシャ反射面２５１の形状が実施例１と異なる。
すなわち、この実施例２では、リング部材２４０を透光性を有した樹脂により形成し、リング部材２４０の正面側に光を反射する塗料層２４１を設けることで、リング部材反射面２４２を形成している。
【００２５】
したがって、リング部材用透光部３５を通過した光は、いったん、リング部材２４０に入射され、正面側のリング部材反射面２４２で反射してリング部材２４０からフィニッシャ反射面２５１へ進む。
また、フィニッシャ反射面２５１は、湾曲面状に形成されている。
【００２６】
以上、図面を参照して、本発明の実施の形態および実施例１，２を詳述してきたが、具体的な構成は、この実施の形態および実施例１，２に限らず、本発明の要旨を逸脱しない程度の設計的変更は、本発明に含まれる。
【００２７】
例えば、実施例１，２では、車両用のメータ装置Ａを示したが、船舶など車両以外のものにも適用することができる。
【００２８】
また、実施例１，２では、環状部材として、スピードメータ１の全周を囲む円環状のリング部材４０を示したが、この環状部材は、表示部を囲むものであれば、メータの全周を囲むものでなくてもよい。例えば、実施例１で示した図２の燃料メータ３に適用する場合、スピードメータ１を囲むリング部材４０に接する部分以外の全周の２／３ほどの円弧状のリング部材３４０を用いるようにしてもよい。また、その形状は、多角環状のような円環状以外の形状としてもよい。
【００２９】
また、実施例１，２では、フィニッシャ５０は、文字板３０の表面３１に重ねて配置したが、文字板３０の外側にフィニッシャ５０を配置した構造としてもよい。
【図面の簡単な説明】
【００３０】
【図１】本発明の最良の実施の形態の実施例１のメータ装置Ａの主要部を示す断面図である。
【図２】実施例１のメータ装置Ａの正面図である。
【図３】実施例２のメータ装置の主要部を示す断面図である。
【符号の説明】
【００３１】
１     スピードメータ
１ａ   目盛表示部
１ｂ   文字表示部
１０   基板
１１   発光ダイオード（光源）
２０   ハウジング
２１   ハウジング反射面
３０   文字板
３１   表面
３３   裏面
３４   表示部用透光部
３５   リング部材用透光部（環状部材用透光部）
４０   リング部材（環状部材）
４１   メッキ層
４２   リング部材反射面（環状部材反射面）
５０   フィニッシャ
５１   フィニッシャ反射面
２４０ リング部材（環状部材）
２４１ 塗料層
２４２ リング部材反射面
２５１ フィニッシャ反射面
３４０ リング部材（環状部材）
【図１】
2008261664.tif 000003
【図２】
2008261664.tif 000004
【図３】
2008261664.tif 000005